(57)【要約】【課題】  複数の専用運転を順序付けて処理して専用運転の開始を告知することである。【解決手段】  本発明のエレベータ運行制御システムは、単独でエレベータが利用できる専用運転機能を有するエレベータ運行制御システムであって、専用運転を予約登録するための専用運転登録手段と、予約登録された複数の専用運転の実施を順序付けて処理する専用運転予約処理手段と、予約登録された専用運転の開始について告知する専用運転開始告知手段とを含むことを特徴とする。【選択図】図１
2005335918.tif 000002
【特許請求の範囲】
【請求項１】
単独でエレベータが利用できる専用運転機能を有するエレベータ運行制御システムであって、
予約者が専用運転を予約登録するための専用運転登録手段と、
予約登録された複数の専用運転の実施を順序付けて処理する専用運転処理手段と、
予約登録された専用運転の開始についての情報を上記予約者に告知する専用運転開始告知手段とを含むことを特徴とするエレベータ運行制御システム。
【請求項２】
上記予約者を特定する個人特定手段と、
上記予約者に対応した専用運転の実施内容を記憶している、上記予約者が予約登録した専用運転の実施内容を補完する専用運転補完手段とを含むことを特徴とする請求項１に記載のエレベータ運行制御システム。
【請求項３】
上記予約者を特定する個人特定手段と、
予約登録された専用運転の実施の許可や不許可を決定する専用運転許可手段とを含むことを特徴とする請求項１に記載のエレベータ運行制御システム。
【請求項４】
上記専用運転登録手段が、個人用携帯情報端末との通信手段を有し、
上記予約者が、上記個人用携帯情報端末を介して専用運転を予約登録するようにしたことを特徴とする請求項１〜３のいずれか一に記載のエレベータ運行制御システム。
【請求項５】
上記専用運転開始告知手段が、個人用携帯情報端末との通信手段を有し、
上記予約者が、上記個人用携帯情報端末を介して、上記予約者に予約登録された専用運転の開始についての情報を告知されるようにしたことを特徴とする請求項１〜４のいずれか一に記載のエレベータ運行制御システム。
【請求項６】
上記専用運転登録手段または上記専用運転開始告知手段の少なくとも一方が、個人用携帯情報端末に備えられていることを特徴とする請求項１〜３のいずれか一に記載のエレベータ運行制御システム。
【発明の詳細な説明】
【技術分野】
【０００１】
本発明は、単独でエレベータが利用できる専用運転を実施するエレベータ運行制御システムに関する。
【背景技術】
【０００２】
従来、エレベータ運行制御システムにおいて、種々の専用運転が実行されている。例えば、特許文献１のエレベータ制御システムがあり、これは、夜間において、既に利用者が乗車したかごに、該利用者が降車するまで他人を乗車させないという防犯的な専用運転を実行する。また、特許文献２のエレベータ運行制御システムにおいては、人数設定ボタンに専用運転を所望した集団の人数を入力させ、その人数内において同車を認めるという専用運転を行う。
【特許文献１】特開昭５８−１４４０７９号公報
【特許文献２】特開２００３―２３８０４２公報
【発明の開示】
【発明が解決しようとする課題】
【０００３】
しかしながら、従来のエレベータ運行制御システムは、複数の専用運転の実施を要求された場合、専用運転の実施順序が定かではなかった。また、専用運転の実施を要求した利用者が存在する階にかごが到着しても、かごが専用運転を実施するかごであるか、または、利用者が要求した専用運転を実施するかごであるかが分からず戸惑うことがあった。
【０００４】
そこで、本発明は、複数の専用運転が要求された場合、これらを順序付けて処理するとともに、専用運転の実施を要求した利用者に専用運転の開始を知らせるエレベータ運行制御システムを提供することを課題とする。
【課題を解決するための手段】
【０００５】
本発明のエレベータ運行制御システムは、単独でエレベータが利用できる専用運転機能を有するものであって、専用運転を予約登録するための専用運転予約登録手段と、予約登録された複数の専用運転の実施を順序付けて処理する専用運転処理手段と、予約登録された専用運転の開始について告知する専用運転開始告知手段とを含むことを特徴とする。
【発明の効果】
【０００６】
本発明によれば、複数の専用運転が順序付けられて実施されるため、エレベータの運行効率が向上する。また、専用運転の実施を要求した利用者に、該利用者が要求した専用運転の開始を知らせることができるため、利用者が戸惑うことがなくなる。
【発明を実施するための最良の形態】
【０００７】
本発明のエレベータ運行制御システムは、専用運転機能を有するものである。専用運転機能とは、専用運転を希望したエレベータ利用者（集団）のみが乗車したかごに、該利用者が降車するまで他人を乗車させない運転機能である。他人との乗り合わせを防ぐ専用運転により、犯罪の発生を抑制する防犯運転や要人（ＶＩＰ）向けの運転が実現される。以下、実施の形態を挙げて、本発明に係るエレベータ運行制御システムを説明する。
【０００８】
実施の形態１．
図１には、本実施の形態に係るエレベータ運行制御システム１０の構成が概略的に示されている。エレベータ運行制御システム１０は、複数の乗り場階それぞれに設置された複数の乗り場呼び装置１２（１）〜１２（Ｍ）（Ｍは２以上の整数）、複数台のかご装置１４（１）〜１４（Ｎ）（Ｎは１以上の整数）、かご装置と乗り場呼び装置からこれらの状態を示す情報を取得して制御するエレベータ制御手段１６とを有する。エレベータ制御手段１６は、複数台のかご装置１４（１）〜１４（Ｎ）それぞれに対して設けてもよく、それに加えて、群管理装置を設けてもよい。
【０００９】
また、エレベータ運行制御システム１０は、専用運転を実施するために、乗り場階それぞれに設置されている専用運転登録手段１８と専用運転開始告知手段２０、専用運転処理手段としてエレベータ制御手段１６内に備えられている専用運転予約処理部２２と専用運転実施部２４とを有する。
【００１０】
専用運転登録手段１８は、複数の乗り場階それぞれに設けられており、そこで利用者によって専用運転の予約が登録される。専用運転登録手段１８は、専用運転の予約を登録されるために、種々の形態で構成可能である。１つの形態として、乗り場呼び装置の行き先方向入力ボタン２６を利用することができる。この場合、通常の運転（専用運転でない運転）では実施されない押し方をすることにより、専用運転の予約が登録される。例えば、所望の行き先方向とは異なる行き先方向入力ボタンを押しながら、所望の行き先方向入力ボタンを押して専用運転の予約を登録する。
【００１１】
乗り場階に行き先階を登録する行き先階呼び装置がある場合、行き先階入力ボタンで専用運転を登録してもよい。また、代用ではなく、専用運転登録用の入力装置を設けてもよく、例えば、図２に示すような入力装置４０のテンキー４２であってもよい。図示されている入力装置４０は、乗り場呼び装置１２の行き先方向ボタン２６と後述の表示部４４とが一体化した形態である。この場合、規定の番号（複数の数字から構成される番号）を入力することによって専用運転が登録される。
【００１２】
このように専用運転の予約が登録された専用運転登録手段１８は、数１に示すような専用運転要求情報Ｃを後述の専用運転予約処理部２２に出力する。専用運転要求情報Ｃには、少なくとも専用運転の予約を登録した利用者（予約者）が存在する乗り場階の情報を含む専用運転の実施に必要なパラメータｃ１、ｃ２、…、ｃｐが含まれる。ｐは１以上の整数である。
【数１】
2005335918.tif 000003
【００１３】
例えば、パラメータｃ１が専用運転予約者が存在する乗り場階を示すものである場合、他のパラメータｃ２、…、ｃｐには、行き先方向、行き先階、専用運転の予約登録時刻などである。また、複数の専用運転の予約が登録されている場合、専用運転要求情報Ｃは、登録を受け付けた順番を示す番号（受付番号）をパラメータとして含んでもよい。
【００１４】
さらに、専用運転登録手段１８は、予約が登録されたことを専用運転予約者に知らせる手段を有するのが好ましい。例えば、図２に示す表示部４４に専用運転要求情報Ｃに含まれるパラメータである受付番号を表示することにより、専用運転の予約の登録が完了したことを専用運転予約者に知らせてもよい。また、表示ではなく、スピーカを用いて音声で知らせてもよい。
【００１５】
加えて、専用運転登録手段は、既に登録した専用運転の予約を取り消すことができるように構成されるのが好ましい。
【００１６】
次に、エレベータ制御手段１６内の専用運転予約処理部２２を説明する。専用運転予約処理部２２は、図３に示すように、専用運転登録手段１８からの専用運転要求情報Ｃを受付ける専用運転要求情報受付け部６２と、受付けた専用運転要求情報Ｃを順序付けて保持する専用運転要求情報キュー６４と、専用運転要求情報キュー６４から出力された専用運転要求情報Ｃに基づいて専用運転の実施を開始するための処理を行う専用運転開始処理部６６とを有する。
【００１７】
専用運転要求情報受付け部６２は、専用運転登録手段１８からの専用運転要求情報Ｃを受け付ける度に後述の専用運転要求情報キュー６４に入力する。
【００１８】
専用運転要求情報キュー６４は、図３に示すように、待ち行列構造の記憶部であり、Ｋ個のキューメモリＱ（１）〜Ｑ（Ｋ）（Ｋは整数）から構成される。専用運転要求情報Ｃが、専用運転要求情報受付け部６２から入力された順にキューメモリＱ（１）、Ｑ（２）、…、Ｑ（ｋ）（ｋはＫ以下の任意の整数）に格納されて保存されている。キューメモリＱ（１）には最も過去に入力された専用運転要求情報Ｃが保存されている。新たに入力された専用運転要求情報Ｃは、空いているキューメモリＱの中、ｋが小さいキューメモリＱ（図中においては、Ｑ（４））に格納される。後述の専用運転開始処理部６６がキューメモリＱ（１）から専用運転要求情報Ｃを取り出すと、キューメモリＱ（２）に格納されている専用運転要求情報ＣがＱ（１）に移動されて格納される。同様に、キューメモリＱ（３）、…、Ｑ（ｋ）に保存されている専用運転要求情報Ｃも、Ｑ（２）、…、Ｑ（ｋ−１）に移動されて格納される。また、専用運転の予約が取り消された場合、対応する専用運転要求情報Ｃを保存しているキューメモリ、例えば、Ｑ（ｘ）は空となり、Ｑ（ｘ＋１）、Ｑ（ｘ＋２）、…、Ｑ（ｋ）（ｘは１以上ｋ以下の整数）に格納されている専用運転要求情報Ｃが、Ｑ（ｘ）、Ｑ（ｘ＋１）、…、Ｑ（ｋ−１）に移動されて格納される。
【００１９】
専用運転開始処理部６６は、専用運転が実施可能なかごが現れる毎に、専用運転要求情報キュー６４のキューメモリＱ（１）に格納されている専用運転要求情報Ｃを取り出す。次に、取り出した専用運転要求情報Ｃを、該専用運転要求情報Ｃの予約者が存在する階に設置された専用運転開始告知手段２０に専用運転要求情報Ｃを出力するとともに、専用運転実施部２４にも出力する。
【００２０】
専用運転開始告知手段２０は、専用運転開始処理部２２から出力された専用運転要求情報Ｃに基づいて、専用運転の実施の開始を専用運転予約者に告知する。例えば、図２に示す入力装置４０の表示部４４に、図４に示す文章を表示して専用運転の実施の開始を告知する。図４（ａ）においては、専用運転要求情報Ｃに含まれるパラメータである専用運転の予約登録時刻と、行き先方向が示されている。また、図４（ｂ）に示すように受付番号を示すことにより、同一階に存在する複数の予約者それぞれに対して、対応した専用運転の実施開始の告知が行える。これらの告知はスピーカを用いて音声で実施してもよい。
【００２１】
また、専用運転開始告知手段２０は、専用運転開始までの時間や順番を告知してもよい。この場合、専用運転要求情報キューに保存されている専用運転要求情報それぞれを予約登録した利用者全てに、対応する専用運転が開始されるまでの時間や順番を告知することが可能である。例えば、図５（ａ）のように、開始までの待ち時間を示したり、図５（ｂ）のように、現在実行中の専用運転の受付番号を示すことによって専用運転開始までの時間や順番を告知することができる。専用運転開始までの時間や順番を告知する場合、専用運転要求情報キュー６４内の全て専用運転要求情報Ｃを参照して、告知する時間や順番を演算する専用運転待ち演算部（図示せず）を有する必要がある。
【００２２】
専用運転実施部２４は、専用運転開始処理部２２から出力された専用運転要求情報Ｃに従って、予約者が存在する乗り場階にかごを移動させ、かごに専用運転を実施する。このとき、かごに対して、予約者が降車するまで、他の乗り場階から他人が乗車しないように乗り場呼び装置からの要求に対する応答を禁止する制御を行う。
【００２３】
このようなエレベータ運行制御システムを構成することにより、複数の人が専用運転を同時に所望した場合であっても、複数の人それぞれに対応した専用運転を順番に実施することができる。
【００２４】
実施の形態２．
実施の形態１のエレベータ運行制御システム１０は、予約登録された順番に専用運転を実施していた。これに対して、本実施の形態のエレベータ運行制御システムは、複数の専用運転の予約が登録されている場合、その専用運転の実施の順番を、エレベータの運行効率を向上させるために変更することができる。
【００２５】
実施の形態２のエレベータ運行制御システムは、専用運転予約処理部を除いて、実施の形態１のエレベータ運行制御システムと同じである。図６に本実施の形態の専用運転予約処理部１２２を示す。専用運転予約処理部１２２の構成要素は、専用運転処理順序変更部１４８を除いて、実施の形態１の専用運転予約処理部２２の構成要素と同一である。実施の形態１と同一の構成要素は、実施の形態１の構成要素の符号に１００を加えて示している。これら実施の形態１と同一の構成要素の説明は省略する。以下、異なる専用運転処理順序変更部１６８について説明する。
【００２６】
専用運転処理順序変更部１６８は、実施される順に専用運転要求情報キュー１６４のキューメモリＱ（１）からＱ（Ｋ）にかけて保存されている専用運転要求情報Ｃの保存位置（キューメモリ）を変更する。具体的に説明すると、例えば、２つの連続したキューメモリＱ（ｋ―１）とＱ（ｋ）において、Ｑ（ｋ−１）に保存されている専用運転要求情報Ｃの行き先階（専用運転予約登録時に入力された階または予測される階）からＱ（ｋ）に保存されている専用運転要求情報Ｃの乗り場階までの間に、新たに予約登録された専用運転の行き先階と乗り場階が含まれる場合、新たに予約登録された専用運転の専用運転要求情報ＣをＱ（ｋ）に格納する（割り込む。）。このとき、割り込まれる前のキューメモリＱ（ｋ）〜Ｑ（Ｋ）それぞれに保存されている（空も含む）専用運転要求情報Ｃは、Ｑ（ｋ＋１）〜Ｑ（Ｋ）に格納される。
【００２７】
例えば、図７に示すように、専用運転要求情報Ｃの保存キューメモリを変更する。図７は、変更前の専用運転要求情報キュー１６４’と変更後の専用運転要求情報キュー１６４”を示している。専用運転要求情報キュー１６４’において、キューメモリＱ（１）に保存されている専用運転要求情報Ｃは、乗り場階１Ｆで上（ＵＰ）方向の行き先方向入力ボタンが押されて予約登録されたものである。キューメモリＱ（２）に保存されている専用運転要求情報Ｃは、乗り場階２Ｆで上（ＵＰ）方向の行き先方向入力ボタンが押されて登録されたものであり、新規に予約登録されたキューメモリＱ（３）の専用運転要求情報Ｃは、乗り場階９Ｆで下（ＤＯＷＮ）方向の行き先方向入力ボタンが押されて登録されたものである。ここで、これらの専用運転要求情報Ｃに対応する専用運転の行き先階が、例えば、Ｑ（１）内の専用運転要求情報Ｃにおいては１０Ｆ、Ｑ（２）においては１２Ｆ、Ｑ（３）においては３Ｆと予約登録時に入力されているまたはある程度予測できるとする。この場合、１０階から２階まで回送運転を行う必要がある。また、新規に予約登録された専用運転は、回送運転の区間に含まれているため、回送運転の途中で該専用運転を実施しても、元々Ｑ（２）に保存されていた乗り場階２Ｆで上方向に行き先階１２Ｆ間まで移動する（と予測される）専用運転実施の待ち時間を著しく増加させることはない。このような場合に、割り込む形で新規の専用運転要求情報Ｃを、既に他の専用運転要求情報Ｃを保存している複数のキューメモリに格納し、それにより、既に保存されている専用運転要求情報Ｃの保存キューメモリを変更する。
【００２８】
また、専用運転予約登録時に行き先階が入力されているまたは行き先階がある適度予測される場合、割り込まれるキューメモリよりも後ろ（ｋが大きい）のキューメモリに登録されている専用運転要求情報Ｃに対応する専用運転実施の待ち時間の総和を評価し、新たな専用運転要求情報Ｃが割り込まれるキューメモリを決定してもよい。この場合、数３に示す式を満たすようなｋにおいて、数２の式の値が最小となるキューメモリＱ（ｋ）を決定する。
【数２】
2005335918.tif 000004
【数３】
2005335918.tif 000005
【００２９】
数２の式において、ＷＴ（Ｑ（ｉ））は、割り込まれる前のキューメモリＱ（ｉ）に保存されている専用運転要求情報Ｃの専用運転実施までの予測される待ち時間である。ＷＴＮ（Ｑ（ｉ）、ｋ、Ｃ）は、新規の専用運転要求情報ＣがキューメモリＱ（ｋ）に割り込まれたときのＱ（ｉ）に保存されている専用運転の実施までの予測される待ち時間である。また、数３の式において、ＴＨＥは、保存済み専用運転要求情報Ｃそれぞれの専用運転実施までの待ち時間に加算される許容できる時間であり、割り込みを許可するか否かを決定するものである。
【００３０】
数２や数３で示される式の代わりに、数４に示した式を用い、数４の式を最小化するようなキューメモリを割り込まれるキューメモリと決定してもよい。
【数４】
2005335918.tif 000006
【００３１】
数４の式において、ＷＴＭ（Ｑ（ｉ＋１）、ｋ、Ｃ）は、新規の専用運転要求情報ＣがキューメモリＱ（ｋ）に割り込まれたときのＱ（ｉ）に保存されている専用運転の実施までの予測される待ち時間である。
【００３２】
このように、専用運転要求情報キューにおいて、専用運転要求情報Ｃの保存キューメモリを変更することにより、エレベータの運行効率を向上させることができる。
【００３３】
実施の形態３．
本実施の形態のエレベータ運行制御システムは、特定の個人（集団）に、特定の専用運転を実施する又は特定の専用運転の実施を禁止することができるものである。
【００３４】
図８には、実施の形態３のエレベータ運行制御システム２１０の概略的構成が示されている。実施の形態１または２のエレベータ運行制御システムと同一符号の構成要素は、同一構成であるため説明を省略する。実施の形態３のエレベータ運行制御システムは、個人特定手段、専用運転補完手段、専用運転許可手段を除いて、実施の形態１または２のエレベータ運行制御システムと同じである。実施の形態１と同一の構成要素は、実施の形態１の構成要素の符号に２００を加えて示している。これら実施の形態１と同一の構成要素の説明は省略する。以下、エレベータ運行制御システム２１０について説明する。
【００３５】
個人特定手段２２８は、専用運転の予約登録前後において、予約登録する個人を特定するものである。本実施の形態において、専用運転を利用できる個人には、個人ＩＤが付与されている。個人登録手段２２８の具体的手段として、指紋、虹彩、血管パターン、顔、動作等の身体的特徴を検出する手段や、ＩＣカードや電波式タグなどのデバイスの所持を検出する手段がある。これらから、専用運転予約者を特定して個人ＩＤを検出する。検出された個人ＩＤは、専用運転登録手段２１８に出力される。
【００３６】
また、図２に示すようなテンキー４２によって個人ＩＤを直接入力することにより、個人ＩＤを検出してもよい。
【００３７】
専用運転登録手段２１８は、実施の形態１のものと同じであるが、出力される専用運転要求情報Ｃのパラメータに上記の個人ＩＤが含まれる。専用運転の実施内容は、実施の形態１や２と同様に登録される。ここで、個人ＩＤに対応する専用運転が１つの決まったものであるならば、すなわち、常に予約登録される専用運転の実施内容が同じであれば、登録を省略できるように構成してもよい。
【００３８】
専用運転補完手段２３０には、個人ＩＤに対応した補完用専用運転要求情報Ｃ’が記憶されている。補完用専用運転要求情報Ｃ’は、乗り場階、行き先方向、行き先階、戸開時間、かご速度、かご加速度、照明の有無、音声案内の有無などを制御するのに必要なパラメータが含まれており、個人ＩＤ毎に存在する。検出された個人ＩＤにおいて、補完用専用運転要求情報Ｃ’と専用運転登録手段２１８に登録された専用運転要求情報Ｃとを比較して、該専用運転要求情報Ｃの未登録のパラメータを補完する。例えば、上記のように、検出された個人ＩＤの専用運転の実施内容が常に同じであるために専用運転の予約登録が省略される場合、個人ＩＤに対応した補完用専用運転要求情報Ｃ’が、専用運転予約処理部２２２に出力される。また、乗り場階や行き先方向以外の専用運転要求情報Ｃのパラメータを登録する手段がなく未登録である場合、未登録のパラメータを補完用専用運転要求情報Ｃ’から補完する。
【００３９】
専用運転許可手段２３２は、検出された個人ＩＤと登録された専用運転要求情報の対応関係を確認する。専用運転許可手段２３２には、個人ＩＤ毎に、実施できるまたは許されている専用運転の許可済み専用運転要求情報Ｃ”が記憶されている。検出された個人ＩＤに対応する許可済み専用運転要求情報Ｃ”と登録された専用運転要求情報Ｃとを比較して、該専用運転要求情報Ｃの専用運転の実施の許可または不許可を決定する。
【００４０】
許可された場合、登録された専用運転要求情報Ｃが専用運転予約処理部２２２に出力される。不許可である場合、不許可である旨を専用運転予約者に伝える。伝える方法としては、実施の形態１で専用運転の予約が登録されたことを伝えた方法と同様に、図２に示すような表示部４４を用いて視覚的に、または、スピーカを用いて聴覚的に伝える方法がある。
【００４１】
専用運転補完手段２３０や専用運転許可手段２３２は、両方がエレベータ運行制御システム２１０に組み込まれてもよいし、また、一方だけが組み込まれてもよい。また、専用運転補完手段２３０や専用運転許可手段２３２は、エレベータ制御手段２１６に組み込まれてもよいし、また、外部に設けてもよい。しかしながら、エレベータ制御手段２１６に組み込まれ、専用運転補完手段２３０や専用運転許可手段２３２に処理能力を奪われる場合、専用運転補完手段２３０や専用運転許可手段２３２は、エレベータ処理手段２１６の外部に設けるのが好ましい（図８参照。）。
【００４２】
このような構成により、専用運転を予約登録した個人に対して専用運転登録手段２１８に登録された以外の要求にもきめ細かく答えることができるとともに、専用運転の開始を特定の個人に告知することができる。また、個人ＩＤのみで専用運転の予約が登録でき、専用運転の実施内容の登録の手間が省略される。
【００４３】
実施の形態４．
本実施の形態のエレベータ運行制御システムは、個人用携帯情報端末を利用して専用運転を予約登録すること又は専用運転の開始を告知することができる。本明細書において、個人用携帯情報端末とは、例えば、携帯電話、無線ＩＰ電話、ＰＤＡ、ノートパソコン等の汎用の携帯情報端末であって、通信手段を備え、携帯情報端末の所有者が情報を携帯情報端末に入力できるデバイス（情報入力デバイス）、または、所有者が携帯情報端末から情報を得ることができるデバイス（情報出力デバイス）の少なくとも一方を備えるものである。例えば、携帯電話の場合、通信手段が電話回線や可能であるならば電子メールやインターネットや赤外線通信であり、電話番号入力ボタン部が情報を情報入力デバイスであり、表示（ディスプレイ）部が情報出力デバイスである。
【００４４】
本実施の形態のエレベータ運行制御システムの構成を概略的に図９に示す。本実施の形態のエレベータ運行制御システム３１０は、実施の形態３のものと略同一の構成要素から構成されるが、専用運転登録手段３１８と専用運転開始告知手段３２０が個人用携帯情報端末３３４と通信可能であるという点で異なる。それ以外の実施の形態３と同一の構成要素は、実施の形態３の構成要素の符号に１００を加えて示している。これら実施の形態３と同一の構成要素の説明は省略する。以下、エレベータ運行制御システム３１０について説明する。
【００４５】
専用運転登録手段３１８は、個人用携帯情報端末３３４との通信手段を有し、個人用携帯情報端末３３４の情報入力デバイス３３６によって専用運転を予約登録されるように構成されている。個人用携帯情報端末３３４から専用運転登録手段３１８への専用運転の予約登録は、個人用携帯情報端末３３４の種類によって異なり、例えば、インターネットと接続可能な個人用携帯情報端末である場合、電子メールを用いて行なってもよい。また、個人用携帯情報端末が携帯電話である場合、電話回線を用いて音声によって専用運転の予約登録を行なってもよい。
【００４６】
専用運転開始告知手段３２０は、個人用携帯情報端末３３４との通信手段を有し、個人用携帯情報端末３３４の情報出力デバイス３３８によって専用運転の開始を告知するように構成される。専用運転開始告知手段３２０から個人用携帯情報端末３３４への専用運転の開始の告知は、専用運転登録手段３１８と同様に、例えば、電子メールや電話回線を介する音声を用いて行ってもよい。
【００４７】
また、個人用携帯情報端末３３４により、実施の形態３の個人特定手段２２８と同様に、予約者を特定することができる。例えば、個人用携帯情報端末の固有の製造番号や該個人用携帯情報端末に付されている識別ＩＤ、携帯電話であって電話回線を利用する場合には電話番号、電子メールを用いる場合にはメールアドレスなどから予約者の個人ＩＤを検出することができる。
【００４８】
実施の形態４の改良例として、専用運転登録手段や専用運転開始告知手段を、個人用携帯情報端末に備えてもよい。また、携帯電話などの汎用の携帯情報端末の代わりに、専用運転登録手段と専用運転開始手段とを備える専用の携帯情報端末を作製し、これを用いて専用運転の予約登録や専用運転の開始の告知を行ってもよい。
【００４９】
このような構成により、同一の乗り場階にいる他人に知られることなく、専用運転を予約登録でき、また、専用運転の開始の告知を受けることができる。携帯情報端末を用いることにより、各乗り場階に専用運転の予約を登録する入力装置（例えば、図２に示すような入力装置４０）や専用運転の開始を告知する表示部（図２に示すような表示部４４）やスピーカを省略することができる。
【図面の簡単な説明】
【００５０】
【図１】実施の形態１に係るエレベータ運行制御システムの概略図である。
【図２】専用運転登録手段の一例の専用運転入力装置を示す図である。
【図３】実施の形態１に係る専用運転処理部の概略図である。
【図４】専用運転開始告知手段が行う告知の一例を示す図である。
【図５】専用運転開始告知手段が行う告知の一例を示す図である。
【図６】実施の形態２に係る専用運転処理部の概略図である。
【図７】専用運転処理順序変更部の処理の例を示した図である。
【図８】実施の形態３に係るエレベータ運行制御システムの概略図である。
【図９】実施の形態４に係るエレベータ運行制御システムの概略図である。
【符号の説明】
【００５１】
１０  エレベータ運行制御システム、  １２  乗り場呼び装置、  １４  かご、  １６  エレベータ制御手段、  １８  専用運転登録手段、  ２０  専用運転開始告知手段、  ２２  専用運転予約処理部、  ２４  専用運転実施部、  ２６  行き先方向入力ボタン、  ４０  入力装置、  ４２  テンキー、  ４４  表示部、  ６２  専用運転要求情報受付け部、  ６４  専用運転要求情報キュー、  ６６  専用運転開始処理部、
１２２  専用運転予約処理部、  １４２  専用運転要求受付け部、  １４４  専用運転要求情報キュー、  １４６  専用運転開始処理部、
２１０  エレベータ運行制御システム、  ２１６  エレベータ制御手段、  ２１８  専用運転登録手段、  ２２０  専用運転開始告知手段、  ２２２  専用運転予約処理部、  ２２８  個人特定手段、  ２３０  専用運転補完手段、  ２３２  専用運転許可手段、
３１０  エレベータ運行制御システム、  ３１８  専用運転登録手段、  ３２０  専用運転開始告知手段、  ３３４  個人用携帯情報端末、  ３３６  情報入力デバイス、  ３３８  情報出力デバイス
【図１】
2005335918.tif 000007
【図２】
2005335918.tif 000008
【図３】
2005335918.tif 000009
【図４】
2005335918.tif 000010
【図５】
2005335918.tif 000011
【図６】
2005335918.tif 000012
【図７】
2005335918.tif 000013
【図８】
2005335918.tif 000014
【図９】
2005335918.tif 000015